(57)【特許請求の範囲】
【請求項１】
スピンドル装置であって、
前方側に回転具を取り付け可能な回転軸と、
前記回転軸を中心軸上に収容し、当該回転軸を軸受を介して回転自在に支持する本体ハウジングと、
前記回転軸の後方側に設けられ、前記回転軸を回転駆動するモータ部と、
前記本体ハウジングの後方部に固定され、前記モータ部を収容するモータハウジングと、を有し、
前記モータ部は、前記回転軸の後方部に当該回転軸と同軸上に固定されたモータ軸と、当該モータ軸の外周面に固定された環状のロータと、当該ロータに対向しモータハウジングの内周面に固定された環状のステータを有し、
前記モータハウジングの内周面の前記ステータが固定されていない位置又は前記モータハウジングの外周面には、回転振れを検出するためのセンサを当接可能な、前記ステータの内周面と同心の環状の位置合わせ面が形成されていることを特徴とする、スピンドル装置。
【請求項２】
前記ステータを前記モータハウジングに固定した状態で、モータハウジングを加工機に固定し、当該加工機により、前記モータハウジングの内周面又は外周面の少なくとも一部と、前記ステータの内周面とを同時加工することにより、前記位置合わせ面が形成されていることを特徴とする、請求項１に記載のスピンドル装置。
【請求項３】
前記本体ハウジングの前方側に形成された開口部に設けられ、当該本体ハウジングの内周面との間に本体ハウジングの内部と外部を連通する隙間を形成し、前記回転軸により回転する回転体と、
前記モータ部を冷却するための冷却用気体を前記モータハウジング内に導入するための気体導入部と、
前記モータハウジング内に供給された前記冷却用気体を、前記本体ハウジングと前記回転体の前記隙間に供給し、当該隙間から前記本体ハウジングの外部に流出させるための気体流路と、をさらに有することを特徴とする、請求項１又は２に記載のスピンドル装置。
【請求項４】
前記軸受にエアを供給する軸受用エア供給流路と、
前記軸受に供給されたエアを前記気体流路に供給するエア流路と、をさらに有することを特徴とする、請求項３に記載のスピンドル装置。
【請求項５】
スピンドル装置の製造方法であって、
本体ハウジング内の中心軸上に軸受を介して回転自在に支持された回転軸に対し、環状のロータが外周面に固定されたモータ軸を、軸が一致するように固定する工程と、
環状のステータが内周面に固定されたモータハウジングに対し、当該モータハウジングの内周面の前記ステータが固定されていない位置又はモータハウジングの外周面に、回転振れを検出するためのセンサを当接可能な、前記ステータの内周面と同心の環状の位置合わせ面を形成する工程と、
前記位置合わせ面を基準にして、前記モータハウジングを前記本体ハウジングに対し、軸が一致するように固定して、前記ロータと前記ステータを同心円状に対向配置する工程と、を有することを特徴とする、スピンドル装置の製造方法。
【請求項６】
前記ステータを前記モータハウジングに固定した状態で、モータハウジングを加工機に固定し、当該加工機により、前記モータハウジングの内周面又は外周面の少なくとも一部と、前記ステータの内周面とを同時加工することにより、前記位置合わせ面を形成することを特徴とする、請求項５に記載のスピンドル装置の製造方法。
【請求項７】
前記モータハウジングを前記本体ハウジングに仮止めし、当該モータハウジングを回転させて前記位置合わせ面の回転振れを検出し、当該回転振れが最小になるように、前記モータハウジングを前記本体ハウジングに固定することを特徴とする、請求項５又は６に記載のスピンドル装置の製造方法。
【請求項８】
前記ロータの外周面は、前記モータ軸と同心になるように加工されていることを特徴とする、請求項５〜７のいずれかに記載のスピンドル装置の製造方法。
【請求項９】
前記モータ軸を前記回転軸に仮止めし、当該モータ軸を回転させて前記ロータの外周面の回転振れを検出し、当該回転振れが最小になるように、前記モータ軸を前記回転軸に固定することを特徴とする、請求項５〜８のいずれかに記載のスピンドル装置の製造方法。
【請求項１０】
請求項１〜４のいずれかに記載のスピンドル装置を備えた研削加工機。
【発明の詳細な説明】
【技術分野】
【０００１】
本発明は、スピンドル装置、スピンドル装置の製造方法及び研削加工機
に関する。
【背景技術】
【０００２】
例えばシリコンウェハ、ガラス、セラミック等の脆性材の研削加工などには、一般的に工具を回転軸により回転させるスピンドル装置が用いられている。特にシリコンウェハ等の高精度の加工には、高回転精度、低振動等が要求され、このような加工には、モータを内蔵して直接駆動するモータビルトインのスピンドル装置が適している。
【０００３】
上記モータビルトインのスピンドル装置は、例えば前方側に工具を取り付け可能な回転軸を備えた本体ハウジングを有し、その本体ハウジングの後方側には、モータ部を内蔵するモータハウジングが固定されている。モータ部は、前記回転軸の後方部に固定されたモータ軸と、そのモータ軸の外周面に固定された環状のロータと、ロータの外周を囲むようにモータハウジングの内周面に固定された環状のステータを有している。モータ部は、給電によりロータとステータとの間に生じる電磁力を用いてモータ軸及び回転軸を回転させ、工具を回転させている（特許文献１参照）。
【０００４】
【特許文献１】特開２００６−３３６８２６号公報
【発明の開示】
【発明が解決しようとする課題】
【０００５】
しかしながら、上述のようなモータビルトインのスピンドル装置では、ロータとステータの回転中心がずれていると、例えばモータ部の電磁力や遠心力等の作用により振動が生じ、また所望のトルクが得られなくなる。このため、スピンドル装置の組み立て時には、ロータとステータの芯合わせが必要になる。
【０００６】
芯合わせを行う方法として、回転振れを検出するセンサを、芯合わせを行うステータの内周面に接触させてその回転振れを検出し、それを見ながら当該回転振れが無くなるように、ステータと一体のモータハウジングを本体ハウジングに固定することが考えられる。しかし、上述のスピンドル装置では、ロータとステータとの間隔が狭く、センサをロータとステータとの間に入れることができないため、上記方法を用いて正確な芯合わせを行うことはできない。
【０００７】
このため、例えばステータと一体のモータハウジングを本体ハウジングに取り付けるためのインローの隙間を可能な限り狭くして、ステータとロータの芯合わせを図ることが考えられる。しかしながら、この場合もインローの隙間分は回転中心がずれるので、十分に正確な芯合わせは難しい。また、特許文献１には、ステータをばねで支持してダンパーによって振動を抑制し、芯合わせを不要にしようとすることが提案されているが、この場合、構造が複雑になり高価な装置なる。
【０００８】
本発明は、かかる点に鑑みてなされたものであり、上述のようなモータビルトインのスピンドル装置において、ロータとステータの芯合わせを正確かつ簡単に行えるようにすることをその目的とする。
【課題を解決するための手段】
【０００９】
上記目的を達成するための本発明は、スピンドル装置であって、前方側に回転具を取り付け可能な回転軸と、前記回転軸を中心軸上に収容し、当該回転軸を軸受を介して回転自在に支持する本体ハウジングと、前記回転軸の後方側に設けられ、前記回転軸を回転駆動するモータ部と、前記本体ハウジングの後方部に固定され、前記モータ部を収容するモータハウジングと、を有し、前記モータ部は、前記回転軸の後方部に当該回転軸と同軸上に固定されたモータ軸と、当該モータ軸の外周面に固定された環状のロータと、当該ロータに対向しモータハウジングの内周面に固定された環状のステータを有し、前記モータハウジングの内周面の前記ステータが固定されていない位置又は前記モータハウジングの外周面には、回転振れを検出するためのセンサを当接可能な、前記ステータの内周面と同心の環状の位置合わせ面が形成されていることを特徴とする。
【００１０】
本発明によれば、モータハウジングの内周面又は外周面に、ステータの内周面と同心の環状の位置合わせ面が形成されているので、スピンドル装置の製造時に、モータハウジングの位置合わせ面を基準にして、例えば当該位置合わせ面に回転振れセンサを当てて、モータハウジングを本体ハウジングに対し軸が一致するように固定することができる。このため、モータハウジングの内周面に固定されたステータと、本体ハウジングの回転軸と同軸のモータ軸及びロータとの芯合わせを正確かつ簡単に行うことができる。
【００１１】
前記スピンドル装置において、前記ステータを前記モータハウジングに固定した状態で、モータハウジングを加工機に固定し、当該加工機により、前記モータハウジングの内周面又は外周面の少なくとも一部と、前記ステータの内周面とを同時加工することにより、前記位置合わせ面が形成されていてもよい。かかる場合、ステータの内周面と同心の環状の位置合わせ面を精度よく簡単に形成できる。
【００１２】
また、前記スピンドル装置は、前記本体ハウジングの前方側に形成された開口部に設けられ、当該本体ハウジングの内周面との間に本体ハウジングの内部と外部を連通する隙間を形成し、前記回転軸により回転する回転体と、前記モータ部を冷却するための冷却用気体を前記モータハウジング内に導入するための気体導入部と、前記モータハウジング内に供給された前記冷却用気体を、前記本体ハウジングと前記回転体の前記隙間に供給し、当該隙間から前記本体ハウジングの外部に流出させるための気体流路と、をさらに有するようにしてもよい。かかる場合、モータ部の冷却用気体を、回転体と本体ハウジングの隙間に供給し、当該隙間から本体ハウジングの外部に流出できるので、回転体と本体ハウジングの隙間から異物が侵入することを抑制できる。また、モータ部の冷却用気体を用いて異物の侵入を抑制できるので、新たに気体供給装置などを設ける必要がなく、スピンドル装置の構造の複雑化や高コスト化を抑制できる。なお、上記「回転体」は、回転軸と一体であっても別体であってもよい。
【００１３】
別の観点による本発明は、スピンドル装置の製造方法であって、本体ハウジング内の中心軸上に軸受を介して回転自在に支持された回転軸に対し、環状のロータが外周面に固定されたモータ軸を、軸が一致するように固定する工程と、環状のステータが内周面に固定されたモータハウジングに対し、当該モータハウジングの内周面の前記ステータが固定されていない位置又はモータハウジングの外周面に、回転振れを検出するためのセンサを当接可能な、前記ステータの内周面と同心の環状の位置合わせ面を形成する工程と、前記位置合わせ面を基準にして、前記モータハウジングを前記本体ハウジングに対し、軸が一致するように固定して、前記ロータと前記ステータを同心円状に対向配置する工程と、を有することを特徴とする。かかる場合、位置合わせ面を基準にして、モータハウジングが、本体ハウジングに対し軸が一致しロータとステータが同心円状になるように固定されるので、モータハウジングのステータと、本体ハウジングの回転軸に同軸のモータ軸及びロータとの芯合わせを正確かつ簡単に行うことができる。
【００１４】
前記ステータを前記モータハウジングに固定した状態で、モータハウジングを加工機に固定し、当該加工機により、前記モータハウジングの内周面又は外周面の少なくとも一部と、前記ステータの内周面とを同時加工することにより、前記位置合わせ面を形成するようにしてもよい。かかる場合、ステータの内周面と同心の環状の位置合わせ面を精度よく簡単に形成できる。
【００１５】
また、前記モータハウジングを前記本体ハウジングに仮止めし、当該モータハウジングを回転させて前記位置合わせ面の回転振れを検出し、当該回転振れが最小になるように、前記モータハウジングを前記本体ハウジングに固定するようにしてもよい。かかる場合、モータハウジングと本体ハウジングとの同軸性が向上し、モータハウジングのステータと、本体ハウジングの回転軸に同軸のモータ軸及びロータとの芯合わせをより正確に行うことができる。
【００１６】
前記ロータの外周面は、前記モータ軸と同心になるように加工されていてもよい。かかる場合、ロータの外周面とモータ軸との同軸性を向上できる。
【００１７】
前記モータ軸を前記回転軸に仮止めし、当該モータ軸を回転させて前記ロータの外周面の回転振れを検出し、当該回転振れが最小になるように、前記モータ軸を前記回転軸に固定するようにしてもよい。かかる場合、ロータの外周面及びモータ軸と、回転軸及び本体ハウジングとの同軸性を向上できる。
【発明の効果】
【００１８】
本発明によれば、ロータとステータの芯合わせを正確かつ簡単に行うことができるので、低振動で安価なスピンドル装置を実現できる。
【発明を実施するための最良の形態】
【００１９】
以下、図面を参照して、本発明の好ましい実施の形態について説明する。図１は、本実施の形態に係るスピンドル装置１の構成の概略を示す説明図である。
【００２０】
スピンドル装置１は、前方側に回転具としての工具Ａを取り付け可能な回転軸１０と、回転軸１０の後方側に設けられ、回転軸１０を回転駆動するモータ部１１と、回転軸１０をエア軸受１２を介して回転自在に支持する本体ハウジング１３と、本体ハウジング１３の後方部に固定され、モータ部１１を収容するモータハウジング１４を有している。
【００２１】
本体ハウジング１３は、例えば両端に開口部を有する円筒状に形成され、その中心軸Ｐ上に回転軸１０を収容している。回転軸１０は、前方端部に径の大きい回転体としての前方フランジ１０ａを有している。この前方フランジ１０ａは、本体ハウジング１３の前方部を構成するシールリング部１３ａの開口部Ｂに位置し、シールリング部１３ａの内周面と前方フランジ１０ａの外周面との間には、隙間Ｄが形成されている。また、シールリング部１３ａの内周面には、前方フランジ１０ａの外周面に近づくように内側に突出した環状の突条部２０が形成されている。この突条部２０の内周面には、環状の凹部２０ａが形成されている。前方フランジ１０ａの前面側には、工具Ａを取り付けることができる。
【００２２】
回転軸１０は、後方端部にも径の大きい後方フランジ１０ｂを有している。エア軸受１２は、前方フランジ１０ａと後方フランジ１０ｂとの間であって、本体ハウジング１３の内周面と回転軸１０の外周面との間に介在されている。エア軸受１２は、回転軸１０の軸方向に２つ並列して設けられている。本体ハウジング１３の壁内には、外部からエア軸受１２に軸受用エアを供給する軸受用エア供給流路３０が形成されている。この軸受用エアの供給により、エア軸受１２と回転軸１０との間の隙間Ｃに軸受用エアが供給され、回転軸１０が、本体ハウジング１３の中心軸Ｐ上でエア軸受１２に非接触で支持されて回転できる。また、本体ハウジング１３には、空間Ｈからシールリング部１３ａの内周面に通じるエア流路３１が形成されている。このエア流路３１により、エア軸受１２から排出された軸受用エアを前方フランジ１０ａとシールリング部１３ａとの隙間Ｄに供給できる。
【００２３】
モータハウジング１４は、両端が開口した円筒状の本体部１４ａと、本体部１４ａの後方の開口部を閉鎖する底部１４ｂを有し、その内部にモータ部１１が設けられている。
【００２４】
モータ部１１は、例えば回転軸１０の後方部に当該回転軸１０と同軸上に固定されたモータ軸４０と、モータ軸４０の外周面に固定された環状のロータ４１と、ロータ４１に対向しモータハウジング１４の内周面に固定された環状のステータ４２を有している。
【００２５】
ロータ４１は、モータ軸４０に圧入固定され、そのモータ軸４０は、例えばボルト等により、回転軸１０の後方フランジ１０ｂの後面に回転軸１０と同軸になるように固定されている。ロータ４１の外周面４１ａは、モータ軸４０と一体で加工されており、モータ軸４０と同心になっている。
【００２６】
ステータ４２は、モータハウジング１４の本体部１４ａの内周面であって、ロータ４１と対向する位置に圧入固定されている。本体部１４ａの内周面の後方端部には、環状の位置合わせ面Ｅが形成されている。この位置合わせ面Ｅは、ステータ４２の内周面４２ａを加工する際にそのステータ４２の内周面４２ａと一体に加工されている。つまり、位置合わせ面Ｅは、本体部１４ａにステータ４２を固定した状態で、当該本体部１４ａを加工機に固定し、当該加工機により、ステータ４２の内周面４２ａと本体部１４ａの内周面の後方端部とを同時に一体に加工することにより形成されている。したがって、位置合わせ面Ｅは、ステータ４２の内周面４２ａと同心になっている。
【００２７】
モータハウジング１４の本体部１４ａは、例えばボルト等により、本体ハウジング１３の後方端部に固定されている。また、本体部１４ａのステータ４２と接触する内周面には、周方向に環状の溝５０が形成されている。溝５０には、モータハウジング１４の外部に通じる冷却水流入孔５１と、冷却水流出孔５２が接続されている。これらの溝５０、冷却水流入孔５１及び冷却水流出孔５２により、冷却水の流路が形成され、外部の冷却水を冷却水流入孔５１から流入し、溝５０を通過させてモータ部１１を冷却し、冷却水流出孔５２から排出することができる。
【００２８】
次に、以上のように構成されたスピンドル装置１の製造方法について説明する。まず、例えば図２に示すように回転軸１０が、本体ハウジング１３の中心軸Ｐ上にエア軸受１２により支持された状態で固定される。このとき、回転軸１０と本体ハウジング１３の同軸性が確保されており、この同軸の回転軸１０と本体ハウジング１３が芯合わせの基準となる。一方、モータ軸４０の外周面には、ロータ４１が圧入固定され、その後ロータ４１の外周面４１ａは、上述したようにモータ軸４０の外周面と一体的に加工され、モータ軸４０と同心になっている。
【００２９】
そして、本体ハウジング１３の回転軸１０の後方部に、モータ軸４０が固定される。このモータ軸４０の固定作業は、図３に示すようにまず、モータ軸４０がボルト等により回転軸１０に仮止めされる。そして、次に、ロータ４１の外周面４１ａに回転振れセンサＦが当接され、モータ軸４０が回転されてロータ４１の外周面４１ａの回転振れが検出される。そして、当該回転振れが最小になるように、回転軸１０に対するモータ軸４０の固定位置が調整される。こうして、芯合わせの基準となる回転軸１０に対し、モータ軸４０が軸が一致するように固定される。
【００３０】
一方、図４に示すようにモータハウジング１４の本体部１４ａには、ステータ４２の内周面４２ａと同心の環状の位置合わせ面Ｅが形成される。この位置合わせ面Ｅは、上述のようにステータ４２が固定された本体部１４ａを加工機に固定し、当該加工機により、ステータ４２の内周面４２ａと本体部１４ａの内周面の後方端部とを一体で加工することにより形成される。
【００３１】
そして、芯合わせの基準となる本体ハウジング１３の後方端部に、モータハウジング１４が固定される。このモータハウジング１４の固定作業は、図５に示すようにまず、底部１４ｂを取り外した状態のモータハウジング１４（本体部１４ａ）がボルト等により本体ハウジング１３に仮止めされる。次に、本体部１４ａの位置合わせ面Ｅに回転振れセンサＦが当接される。その後、回転振れセンサＦが当接した状態で、モータ軸４０及び回転軸１０が固定され、本体ハウジング１３と本体部１４ａが一体に回転され、位置合わせ面Ｅの回転振れが検出される。そして、当該回転振れが最小になるように、本体部１４ａが本体ハウジング１３に固定される。こうして、本体部１４ａが本体ハウジング１３に対し、軸が一致するように固定され、ロータ４１とステータ４２が同心円状に対向配置される。その後、図１に示したように位置合わせ面Ｅのある本体部１４ａの後方端部に、ボルト等により底部１４ｂが固定される。
【００３２】
以上の実施の形態によれば、モータハウジング１４の内周面に、ステータ４２の内周面４２ａと同心の環状の位置合わせ面Ｅが形成されているので、スピンドル装置の製造時に、モータハウジング１４の位置合わせ面Ｅを基準にして、当該位置合わせ面Ｅに回転振れセンサＦを当てて、モータハウジング１４を本体ハウジング１３に対し軸が一致するように固定することができる。こうすることにより、モータハウジング１４に固定されたステータ４２と、本体ハウジング１３の回転軸１０に同軸に固定されたモータ軸４０及びロータ４１との回転中心が一致するので、ステータ４２とロータ４１の芯合わせを正確かつ簡単に行うことができる。
【００３３】
また、以上の実施の形態では、スピンドル装置１において、ステータ４２をモータハウジング１４に固定した状態で、モータハウジング１４を加工機に固定し、当該加工機により、ステータ４２の内周面４２ａと、モータハウジング１４の内周面の一部とを同時加工することにより、位置合わせ面Ｅが形成されている。このため、ステータ４２の内周面４２ａと同心の環状の位置合わせ面Ｅを精度よく簡単に形成できる。
【００３４】
また、以上の実施の形態では、スピンドル装置１を製造する際に、モータハウジング１４を本体ハウジング１３に仮止めし、当該モータハウジング１４を回転させて位置合わせ面Ｅの回転振れを検出し、当該回転振れが最小になるように、モータハウジング１４を本体ハウジング１３に固定するようにしている。このため、モータハウジング１４と本体ハウジング１３との同軸性が向上し、ステータ４２とロータ４１との芯合わせをより正確に行うことができる。
【００３５】
ロータ４１の外周面４１ａは、モータ軸４０と同心になるように加工されているので、ロータ４１の外周面４１ａとモータ軸４０との同軸性が向上されている。また、モータ軸４０を回転軸１０に仮止めし、当該モータ軸４０を回転させてロータ４１の外周面４１ａの回転振れを検出し、当該回転振れが最小になるように、モータ軸４０を回転軸１０に固定するようにしている。このため、ロータ４１の外周面４１ａと回転軸１０との同軸性が向上されている。したがって、本体ハウジング１３や回転軸１０を基準に固定されているステータ４２とロータ４１との芯合わせをより正確に行うことができる。
【００３６】
以上の実施の形態で記載したスピンドル装置１は、モータ部１１を冷却するための冷却用気体をモータハウジング１４内に導入するための気体導入部と、モータハウジング１４内に供給された冷却用気体を、本体ハウジング１３のシールリング部１３ａと前方フランジ１０ａの隙間Ｄに供給し、当該隙間Ｄから本体ハウジング１３の外部に流出させるための気体流路と、をさらに備えていてもよい。
【００３７】
図６は、かかる一例を示すものであり、例えば後方フランジ１０ｂとモータ部１１との間のモータハウジング１４の内周面には、冷却用気体としての冷却用エアの導入を行う環状のエア導入リング６０が設けられている。エア導入リング６０の内部には、外周面から中心方向に延びてその後モータ部１１のある後方側の側面に連通するエア導入流路６１が形成されている。モータハウジング１４の壁内には、エア導入流路６１に通じるエア導入孔６２が形成されている。これにより、外部からエア導入孔６２とエア導入リング６０のエア導入流路６１を通じて、モータハウジング１４の内部に冷却用エアを供給できる。また、冷却用エアをモータ部１１の前方側から後方側に向けて供給できる。なお、本実施の形態では、例えばエア導入リング６０とエア導入孔６２により気体導入部が構成されている。
【００３８】
さらにモータハウジング１４の内周面のモータ部１１よりも後方側には、エア流路７０のエア流入口７０ａが形成されている。エア流路７０は、モータハウジング１４と本体ハウジング１３の壁内を通って前方側のエア流路３１に合流している。これにより、モータハウジング１４内の冷却用エアをエア流入口７０ａから流入し、エア流路７０とエア流路３１を通ってシールリング部１３ａの内側に供給し、前方フランジ１０ａと突条部２０との隙間Ｄから本体ハウジング１３の外部に冷却用エアを流出できる。なお、本実施の形態では、エア流路７０、３１により、気体流路が形成されている。
【００３９】
また、シールリング部１３ａには、突条部２０の内周面の凹部２０ａから外周面に通じるドレイン抜き穴８０が形成されている。これにより、何らかの原因で研削水等の異物がシールリング部１３ａの内部に侵入した場合には、ドレイン抜き穴８０を通じて異物を除去できる。
【００４０】
この例によれば、モータ部１１の冷却用気体を、前方フランジ１０ａとシールリング部１３ａの隙間Ｄに供給し当該隙間Ｄから本体ハウジング１３の外部に流出させるので、例えば工具Ａによる研削加工で用いられる研削水等の異物が隙間Ｄを通じて本体ハウジング１３の内部に侵入することを抑制できる。これにより、研削水に含まれる切粉が本体ハウジング１３の内部に侵入しエア軸受１２やモータ部１１を破損することを防止できる。また、モータ部１１の冷却用エアを用いて本体ハウジング１３の内部への異物の侵入を抑制するので、新たにエアの供給装置等を設ける必要がなく、スピンドル装置１の構成の複雑化、高コスト化を抑制できる。
【００４１】
なお、以上の実施の形態では、エア流路７０がモータハウジング１４の壁内や本体ハウジング１３の壁内を通過していたが、モータハウジング１４や本体ハウジング１３の外部を通るようにしてもよい。
【００４２】
以上、添付図面を参照しながら本発明の好適な実施の形態について説明したが、本発明はかかる例に限定されない。当業者であれば、特許請求の範囲に記載された思想の範疇内において、各種の変更例または修正例に相到し得ることは明らかであり、それらについても当然に本発明の技術的範囲に属するものと了解される。
【００４３】
例えば以上の実施の形態では、位置合わせ面Ｅがモータハウジング１４の内周面の後端部に形成されていたが、ステータ４２が固定されている位置以外であれば、モータハウジング１４の内周面の他の位置に形成されていてもよいし、モータハウジング１４の外周面に形成されていてもよい。
【図面の簡単な説明】
【００４４】
【図１】スピンドル装置の構成の概略を示す説明図である。
【図２】本体ハウジングと、モータ軸を示す説明図である。
【図３】モータ軸のロータの外周面に回転振れセンサを接触させた状態を示す説明図である。
【図４】モータハウジングの本体部の構成を示す説明図である。
【図５】モータハウジングの位置合わせ面に回転振れセンサを接触させた状態を示す説明図である。
【図６】スピンドル装置の他の構成例を示す説明図である。
【符号の説明】
【００４５】
１  スピンドル装置
１０  回転軸
１１  モータ部
１２  エア軸受
１３  本体ハウジング
１４  モータハウジング
４０  モータ軸
４１  ロータ
４２  ステータ
Ａ  工具
Ｄ  隙間
Ｅ  位置合わせ面
【図１】
0005338149.tif 000002
【図２】
0005338149.tif 000003
【図３】
0005338149.tif 000004
【図４】
0005338149.tif 000005
【図５】
0005338149.tif 000006
【図６】
0005338149.tif 000007